(57)【要約】【課題】  ジョイントコネクタを安価に製造可能とする。【解決手段】  ジョイントコネクタ１は、複数の電線５０に接続された複数の接続端子１０と、これらを収容するハウジング２０と、ハウジング２０に取り付けられるバスバー３０とを備えて構成される。接続端子１０は、接続部１１が先端が二股に分岐されたフォーク部１５を備えた形状からなり、バスバー３０の分岐端子部３１が挿入されその分岐部分で挟持接続される。接続端子１０は、プレス加工などにより安価に製造することができ、また、ハウジング２０に装着したバスバー３０を保護するための保護カバー等の部品が不要となり、安価にジョイントコネクタを製造することができる。【選択図】  図１
2005166408.tif 000002
【特許請求の範囲】
【請求項１】
先端側に短絡部材と接続される接続部が形成され基端側に電線の芯線と接続される電線接続部及び電線を固定保持する電線固定部が形成された複数の接続端子と、
前記複数の接続端子を所定配列状態で収容する複数の端子収容室を有するハウジングと、
このハウジングに装着され前記複数の端子収容室に収容された前記複数の接続端子間を短絡させる短絡部材とを備え、
前記複数の接続端子は、前記先端部が先端が二股に分岐されその分岐部分で前記短絡部材を挟持接続するフォーク部が形成された構造からなり、
前記ハウジングは、前記複数の端子収容室の先端側に各端子収容室同士を連通する連通空間部が形成されたものであり、
前記短絡部材は、前記連通空間部に収容される本体部を備えてなる
ことを特徴とするジョイントコネクタ。
【請求項２】
前記短絡部材は、前記ハウジングへの装着時に前記複数の端子収容室のうちの少なくとも２つの端子収容室内の壁面に引っ掛かる楔部を備えてなる
ことを特徴とする請求項１記載のジョイントコネクタ。
【請求項３】
前記短絡部材は、前記連通空間部に収容される本体部と、この本体部から延びて所定のフォーク部の分岐部分に挿入される挿入部とを備えてなる
ことを特徴とする請求項１又は２記載のジョイントコネクタ。
【請求項４】
前記ハウジングの前記複数の端子収容室の短絡部材挿入側の開口部を塞ぐ絶縁貼着部材を更に備えることを特徴とする請求項１〜３のいずれか１項記載のジョイントコネクタ。
【発明の詳細な説明】
【技術分野】
【０００１】
本発明は、自動車等に搭載されるワイヤハーネスのジョイントコネクタに関し、特に安価に製造することができるジョイントコネクタに関する。
【背景技術】
【０００２】
従来から、自動車等のワイヤハーネスの接続に使用されるジョイントコネクタとしては、ワイヤハーネスの各電線に接続された多数の接続端子をハウジング内に収容し、これらの接続端子をバスバー等で短絡させて相互接続して、分岐回路を構成するものが知られている（例えば、特許文献１参照。）。
【０００３】
【特許文献１】特許第３０６７５７０号公報（第３−４頁、第１−６図）
【発明の開示】
【発明が解決しようとする課題】
【０００４】
しかしながら、特許文献１に記載のジョイントコネクタでは、端子の先端を折り返してバスバーとの接続用の接触片を形成しているため、端子の構造が複雑となり端子製造工数が増えて端子のコストが高くなってしまいジョイントコネクタのコストが上昇してしまうおそれがある。また、ハウジングへの短絡板の挿入後に保護カバーを取り付けて端子収容室の開口側端部を塞ぐため、ハウジングと別に保護カバーが必要となり金型などが増えてコストが上昇してしまうおそれがある。
【０００５】
本発明は、このような問題点に鑑みてなされたもので、安価に製造することができるジョイントコネクタを提供することを目的とする。
【課題を解決するための手段】
【０００６】
本発明に係るジョイントコネクタは、先端側に短絡部材と接続される接続部が形成され基端側に電線の芯線と接続される電線接続部及び電線を固定保持する電線固定部が形成された複数の接続端子と、前記複数の接続端子を所定配列状態で収容する複数の端子収容室を有するハウジングと、このハウジングに装着され前記複数の端子収容室に収容された前記複数の接続端子間を短絡させる短絡部材とを備え、前記複数の接続端子は、前記先端部が先端が二股に分岐されその分岐部分で前記短絡部材を挟持接続するフォーク部が形成された構造からなり、前記ハウジングは、前記複数の端子収容室の先端側に各端子収容室同士を連通する連通空間部が形成されたものであり、前記短絡部材は、前記連通空間部に収容される本体部を備えてなることを特徴とする。
【０００７】
なお、このジョイントコネクタのハウジングは、例えばハウジングへの装着時に複数の端子収容室のうちの少なくとも２つの端子収容室内の壁面に引っ掛かる楔部を備えてなると良い。
【０００８】
また、このジョイントコネクタの短絡部材は、例えば連通空間部に収容される本体部と、この本体部から延びて所定のフォーク部の分岐部分に挿入される挿入部とを備えてなるものでも良い。
【０００９】
そして、このジョイントコネクタは、ハウジングの複数の端子収容室の短絡部材挿入側の開口部を塞ぐ絶縁貼着部材を更に備えていても良い。
【発明の効果】
【００１０】
本発明によれば、ハウジングに収容される複数の接続端子の接続部が先端が二股に分岐されその分岐部分で短絡部材を挟持接続するフォーク部が形成された、従来の接続端子と比べてプレス加工などにより安価に簡単に製造することができる構造からなるため、その接続端子を用いて安価にジョイントコネクタを製造することが可能となる。
また、短絡部材は、ハウジングの端子収容室の連通空間部に収容されるため、従来のものと比べて保護カバー等の部品が不要となり安価にジョイントコネクタを製造することができる。
【発明を実施するための最良の形態】
【００１１】
以下、添付の図面を参照して、本発明の好ましい実施の形態を説明する。
【００１２】
図１は、本発明の一実施形態に係るジョイントコネクタを示す外観斜視図、図２は、このジョイントコネクタの一部断面図、図３は、このジョイントコネクタの正面図、図４は、このジョイントコネクタの接続端子を示す外観斜視図である。
【００１３】
図１に示すように、ジョイントコネクタ１は、例えば複数の電線５０に接続された金属製の複数の接続端子１０（図２及び図４参照）と、これら複数の接続端子１０が収容される樹脂成型部材からなるハウジング２０と、同じくこのハウジング２０に収容される金属製の短絡部材としてのバスバー３０とから構成されている。
【００１４】
複数の接続端子１０は、図２及び図４に示すように、この例ではそれぞれバスバー３０の分岐端子部３１と接続される接続部１１と、端末部において被覆５２が除去され芯線５１が露出（口出し）された電線５０の芯線５１と圧着等により接続される電線接続部１２とを有し、更に電線５０を加締め等により固定保持する電線固定部１３と、これら接続部１１、電線接続部１２及び電線固定部１３を連結する帯板形状の帯板部１４とを備えて構成されている。なお、これら複数の接続端子１０の接続部１１は、例えば先端が二股に分岐されその分岐部分でバスバー３０の分岐端子部３１を挟み込んで接続するフォーク部１５が形成された形状を備えている。
【００１５】
ハウジング２０は、図２に示すように、例えば複数の接続端子１０をそれぞれ収容する所定配列状態で形成された複数の端子収容室２１を有している。これら複数の端子収容室２１の先端側には、各端子収容室２１同士を連通する連通空間部２２が形成されている。
【００１６】
このハウジング２０の端子収容室２１の先端側には、バスバー３０をハウジング２０に挿入するためのバスバー挿入口２３が形成されており、このバスバー挿入口２３は、例えば各端子収容室２１同士を連通する連通空間部２２と連続している。
【００１７】
バスバー３０は、例えば平板状の金属片からなり、打ち抜き加工などによりハウジング２０への挿入側に延びる接続端子１０の接続部１１のフォーク部１５と接続される挿入部としての複数の分岐端子部３１が形成され、これら複数の分岐端子部３１の基端側に本体部３２が形成された形状からなる。なお、この例のバスバー３０は、分岐端子部３１を有するものであるが、本体部３２が直接フォーク部１５に挿入される場合は本体部３２のみが形成された構造からなるものでも良い。このバスバー３０の本体部３２には、切り起こし加工などにより形成された、ハウジング２０への収容時に、例えば端子収容室２１内の壁面に引っ掛かってバスバー３０がバスバー挿入口２３から挿入方向と逆方向に外れてしまうことを防止するための楔部としての楔片３３が備えられている。
【００１８】
また、ハウジング２０の各端子収容室２１内には、例えば収容された各接続端子１０をそれぞれ端子収容室２１内に係止固定するための弾性片からなる端子ランス部２４（図２参照）が形成されており、各接続端子１０には、端子ランス部２４と係合する端子穴部１６が形成されている。これら端子ランス部２４と端子穴部１６とで、接続端子１０は端子収容室２１内で確実にハウジング２０に係止固定されるため、図２に示すようなバスバー３０の分岐端子部３１との接続時に接続端子１０が端子収容室２１から外れてしまうなどの不具合を確実に回避することができる。
【００１９】
このように構成されたジョイントコネクタ１では、電線５０に接続された接続端子１０をハウジング２０の基端側から端子収容室２１に収容し、バスバー３０をハウジング２０の先端側のバスバー挿入口２３から挿入して本体部３２を連通空間部２２に収容するだけで、端子収容室２１内で接続端子１０の接続部１１のフォーク部１５の分岐部分にバスバー３０の分岐端子部３１を挿入して接続することができる。このため、ハウジング２０に収容された接続端子１０同士を容易に短絡させることができる。このジョイントコネクタ１の接続端子１０は、従来のもののように特殊形状ではなく、プレス加工などにより安価に製造することができる構造からなるものであるため、ジョイントコネクタ１の製造コストを削減することができる。また、バスバー３０を直接ハウジング２０の連通空間部２２に装着すると共に、バスバー３０の本体部３２に楔片３３が備えられているため、バスバー３０がハウジング２０から外れてしまうことはなく、従来の保護カバー等の部品が不要でジョイントコネクタ１を安価に製造することができる。
【００２０】
なお、このジョイントコネクタ１では、図１に示すように、絶縁貼着部材としての絶縁テープ４０を、バスバー３０をハウジング２０に収容した後にハウジング２０のバスバー挿入口２３側の端部にバスバー挿入口２３を塞ぐような状態で貼り付ければ、更に確実にバスバー３０のハウジング２０からの外れを防止することができると共に、バスバー挿入口２３から端子収容室２１への埃や塵などの侵入を効果的に防ぐことができ、更にバスバー３０が他の金属部品等に接触して短絡を起こすことなどを防止することが可能である。
【００２１】
図５は、本発明の他の実施形態に係るジョイントコネクタを示す外観斜視図、図６は、このジョイントコネクタの一部断面図、図７は、このジョイントコネクタの正面図、図８は、このジョイントコネクタの接続端子を示す外観斜視図である。なお、以降において、既に説明した部分と重複する部分の説明は割愛し、言及しない部分については既述のものが適用可能であるとする。
【００２２】
図５に示すように、ジョイントコネクタ１Ａは、上記ジョイントコネクタ１と同様に複数の接続端子１０（図６及び図８参照）と、これら複数の接続端子１０が収容されるハウジング２０Ａと、このハウジング２０Ａに収容されるバスバー３０Ａとから構成されている点は共通であるが、各接続端子１０のハウジング２０Ａの端子収容室２１Ａへの収容態様、各端子収容室２１Ａの形状、バスバー挿入口２３の形状、及びバスバー３０Ａの形状などが相違している。
【００２３】
複数の接続端子１０は、図６及び図８に示すように、フォーク部１５の分岐部分を結ぶ方向が水平方向と平行になるように端子収容室２１Ａに収容される。これに伴い、端子収容室２１Ａ内の端子ランス部２４の配設位置も変更されている。
【００２４】
バスバー３０Ａは、このジョイントコネクタ１Ａにおいては、例えば連通空間部２２に収容される板状の本体部３２と、この本体部３２の板面に対してプレス加工などにより立設された板状の複数の分岐端子部３１とを備えて構成され、各分岐端子部３１が本体部３２から上方に立直した図５に示すような状態でハウジング２０Ａに収容される。
【００２５】
このように構成されたジョイントコネクタ１Ａでは、上記ジョイントコネクタ１と同様に、接続端子１０をハウジング２０Ａの基端側から端子収容室２１Ａに収容し、バスバー３０Ａをハウジング２０Ａの先端側のバスバー挿入口２３から挿入して本体部３２を連通空間部２２に収容することにより、端子収容室２１Ａ内で接続端子１０の接続部１１のフォーク部１５の分岐部分にバスバー３０Ａの分岐端子部３１を挿入して接続し、接続端子１０同士を短絡させることができる。このジョイントコネクタ１Ａの接続端子１０は、プレス加工などにより安価に製造することができる構造からなるため、ジョイントコネクタ１Ａの製造コストを削減することができる。また、バスバー３０Ａを直接ハウジング２０Ａの連通空間部２２に圧入などにより装着し、フォーク部１５の分岐部分で分岐端子部３１が挟まれるので、バスバー３０Ａがハウジング２０Ａから外れず、従来の保護カバー等の部品が不要でジョイントコネクタ１Ａを安価に製造することができる。
【００２６】
図９は、本発明の更に他の実施形態に係るジョイントコネクタを示す外観斜視図、図１０は、このジョイントコネクタの一部断面図、図１１は、このジョイントコネクタの正面図である。
この例のジョイントコネクタ１Ｂは、ハウジング２０Ｂにおけるバスバー挿入口２３及び連通空間部２２の形成態様と、ハウジング２０Ｂへのバスバー３０Ａの挿入態様とが、先の例のジョイントコネクタ１Ａと相違している。即ち、バスバー３０Ａは、ハウジング２０Ｂのバスバー挿入口２３に、複数の分岐端子部３１の先端面が挿入方向に向くように挿入され、バスバー挿入口２３の開口側に本体部３２が嵌り収容される連通空間部２２が形成されている。
【００２７】
このジョイントコネクタ１Ｂでも、上記ジョイントコネクタ１Ａと同様に、接続端子１０をハウジング２０Ｂの基端側から端子収容室２１Ａに収容し、バスバー３０Ａをハウジング２０Ｂの先端側のバスバー挿入口２３から挿入して本体部３２を連通空間部２２に収容することにより、端子収容室２１Ａ内で接続端子１０の接続部１１のフォーク部１５の分岐部分にバスバー３０Ａの分岐端子部３１を挿入して接続し、接続端子１０同士を短絡させることができる。このジョイントコネクタ１Ｂの接続端子１０は、プレス加工などにより安価に製造することができる構造からなるため、ジョイントコネクタ１Ｂの製造コストを削減することができる。また、バスバー３０Ａを直接ハウジング２０Ｂの連通空間部２２に圧入などにより装着し、フォーク部１５の分岐部分で分岐端子部３１が挟まれるので、バスバー３０Ａがハウジング２０Ｂから外れず、従来の保護カバー等の部品が不要でジョイントコネクタ１Ｂを安価に製造することが可能となる。
【００２８】
なお、分岐端子部３１及び本体部３２を有するバスバー３０Ａの代わりに、図１２に示すような折り曲げ加工などにより形成されバスバー３０Ａと同様に分岐端子部３１及び本体部３２を有する形状のバスバー３０Ｂを用いたり、図１３に示すようなプレス加工などにより形成されたバスバー３０Ｃを用いたりしても良い。
【産業上の利用可能性】
【００２９】
本発明は、分岐接続を含む電気的接続を行う各種の用途に利用できる。
【図面の簡単な説明】
【００３０】
【図１】本発明の一実施形態に係るジョイントコネクタを示す外観斜視図である。
【図２】同ジョイントコネクタの一部断面図である。
【図３】同ジョイントコネクタの正面図である。
【図４】同ジョイントコネクタの接続端子を示す外観斜視図である。
【図５】本発明の他の実施形態に係るジョイントコネクタを示す外観斜視図である。
【図６】同ジョイントコネクタの一部断面図である。
【図７】同ジョイントコネクタの正面図である。
【図８】同ジョイントコネクタの接続端子を示す外観斜視図である。
【図９】本発明の更に他の実施形態に係るジョイントコネクタを示す外観斜視図である。
【図１０】同ジョイントコネクタの一部断面図である。
【図１１】同ジョイントコネクタの正面図である。
【図１２】図５及び図９のジョイントコネクタの他のバスバーを示す斜視図である。
【図１３】図５及び図９のジョイントコネクタの他のバスバーを示す斜視図である。
【符号の説明】
【００３１】
１，１Ａ，１Ｂ…ジョイントコネクタ、１０…接続端子、１１…接続部、１２…電線接続部、１３…電線固定部、１４…帯板部、１５…フォーク部、１６…端子穴部、２０，２０Ａ，２０Ｂ…ハウジング、２１，２１Ａ…端子収容室、２２…連通空間部、２３…バスバー挿入口、２４…端子ランス部、３０，３０Ａ，３０Ｂ，３０Ｃ…バスバー、３１…分岐端子部、３２…本体部、３３…楔片、４０…絶縁テープ、５０…電線、５１…芯線、５２…被覆。
【図１】
2005166408.tif 000003
【図２】
2005166408.tif 000004
【図３】
2005166408.tif 000005
【図４】
2005166408.tif 000006
【図５】
2005166408.tif 000007
【図６】
2005166408.tif 000008
【図７】
2005166408.tif 000009
【図８】
2005166408.tif 000010
【図９】
2005166408.tif 000011
【図１０】
2005166408.tif 000012
【図１１】
2005166408.tif 000013
【図１２】
2005166408.tif 000014
【図１３】
2005166408.tif 000015